(57)【特許請求の範囲】
【請求項１】
被保護装置のキャスターを免震装置の免震架台に固定する免震架台用キャスター固定具において、
免震架台に固定される第１固定金具と、
断面略コ字状のコ字状金具およびこのコ字状金具と前記第１固定金具とをボルト締めするボルト部材を有し、前記第１固定金具に着脱自在に取り付けられる第２固定金具と、
を備え、
キャスター輪の一方向の移動を拘束するように前記第１固定金具にキャスター輪の外周を当接させ、かつ、キャスター輪の他方向の移動を拘束するように前記第２固定金具の前記コ字状金具の開口にキャスター輪の外周を当接させた状態で前記第２固定金具の前記ボルト部材により前記コ字状金具をボルト締めして前記第１固定金具に前記第２固定金具を取り付けてキャスター輪を固定することを特徴とする免震架台用キャスター固定具。
【請求項２】
請求項１に記載の免震架台用キャスター固定具において、
前記第２固定金具の前記コ字状金具の上側および／または下側が略凸字状であることを特徴とする免震架台用キャスター固定具。
【請求項３】
請求項１に記載の免震架台用キャスター固定具において、
前記第２固定金具の前記コ字状金具の上側および下側が略凹字状であることを特徴とする免震架台用キャスター固定具。
【請求項４】
請求項１〜請求項３の何れか一項に記載の免震架台用キャスター固定具において、
前記第１固定金具はＬ字状金具であることを特徴とする免震架台用キャスター固定具。
【請求項５】
請求項４に記載の免震架台用キャスター固定具において、
前記第１固定金具のＬ字状金具は２個のきり孔または２個のナットの何れか一方を有し、
前記第２固定金具のコ字状金具は２個のきり孔または２個のナットの残る他方を有し、
前記第２固定金具のボルト部材は六角ボルトまたは六角穴付きボルトであり、
前記Ｌ字状金具および前記コ字状金具は、きり孔を挿通された六角ボルトまたは六角穴付きボルトのねじ部がナットに螺挿されて締結されることを特徴とする免震架台用キャスター固定具。
【発明の詳細な説明】
【０００１】
【発明の属する技術分野】
本発明は、被保護装置のキャスターを利用して免震装置の免震架台の上に被保護装置を設置固定するための免震架台用キャスター固定具に関する。
【０００２】
【従来の技術】
免震装置は、地震等で発生した振動に対して建物内にある各種機器を保護するものである。対象とする被保護装置により免震装置に求められる性能・仕様が異なるが、特にハードディスクや光ディスク更にこれらを備えた大型コンピュータなど振動に弱い精密機器のような被保護装置を保護する免震装置を想定する。免震装置の免震架台上に配置される被保護装置は、免震架台上に固定された状態で免震されるため、振動による影響を受けない。
【０００３】
被保護装置には、装置本体を移動自在とするためにキャスターが取り付けられたものもある。キャスターには、ストッパー機構が一体に組み込まれており、ストッパーを掛けることで被保護装置の免震架台上での移動が抑制される。
また、被保護装置に取り付けられるゴムパッド付きの脚を下降させて免震架台面に対し高い摩擦抵抗力を与える機構（アジャスターフット機構）によっても被保護装置の免震架台上の移動が抑制される。
【０００４】
しかしながら、キャスターのストッパー機構やアジャスターフット機構を用いて免震架台面に対し高い摩擦抵抗力を与えても、免震架台に取り付け固定できるわけではなく、被保護装置が免震架台上を移動することもある。このため、免震装置に強い振動を受けた場合、被保護装置が免震できないおそれがあった。
また、被保護装置からキャスターを取り去って免震架台上に強固に取り付けることも考えられるが、被保護装置を移動させる場合には手間を要することとなることからもキャスターの除去は回避したいという要請があった。
【０００５】
【発明が解決しようとする課題】
本発明は上記のような課題を解決するためになされたものであり、底面にキャスターが取り付けられたような被保護装置であっても、免震架台上に固定できる免震架台用キャスター固定具を提供することを目的とする。
【０００６】
【課題を解決するための手段】
上記課題を解決するために、請求項１記載の免震架台用キャスター固定具によれば、
被保護装置のキャスターを免震装置の免震架台に固定する免震架台用キャスター固定具において、
免震架台に固定される第１固定金具と、
断面略コ字状のコ字状金具およびこのコ字状金具と前記第１固定金具とをボルト締めするボルト部材を有し、前記第１固定金具に着脱自在に取り付けられる第２固定金具と、
を備え、
キャスター輪の一方向の移動を拘束するように前記第１固定金具にキャスター輪の外周を当接させ、かつ、キャスター輪の他方向の移動を拘束するように前記第２固定金具の前記コ字状金具の開口にキャスター輪の外周を当接させた状態で前記第２固定金具の前記ボルト部材により前記コ字状金具をボルト締めして前記第１固定金具に前記第２固定金具を取り付けてキャスター輪を固定することを特徴とする。
【０００７】
また、請求項２記載の免震架台用キャスター固定具によれば、
請求項１に記載の免震架台用キャスター固定具において、
前記第２固定金具の前記コ字状金具の上側および／または下側が略凸字状であることを特徴とする。
【０００８】
また、請求項３記載の免震架台用キャスター固定具によれば、
請求項１に記載の免震架台用キャスター固定具において、
前記第２固定金具の前記コ字状金具の上側および下側が略凹字状であることを特徴とする。
【０００９】
また、請求項４記載の免震架台用キャスター固定具によれば、
請求項１〜請求項３の何れか一項に記載の免震架台用キャスター固定具において、
前記第１固定金具はＬ字状金具であることを特徴とする。
【００１０】
また、請求項５記載の免震架台用キャスター固定具によれば、
請求項４に記載の免震架台用キャスター固定具において、
前記第１固定金具のＬ字状金具は２個のきり孔または２個のナットの何れか一方を有し、
前記第２固定金具のコ字状金具は２個のきり孔または２個のナットの残る他方を有し、
前記第２固定金具のボルト部材は六角ボルトまたは六角穴付きボルトであり、
前記Ｌ字状金具および前記コ字状金具は、きり孔を挿通された六角ボルトまたは六角穴付きボルトのねじ部がナットに螺挿されて締結されることを特徴とする。
【００１１】
【発明の実施の形態】
まず、本発明の免震架台用キャスター固定具の第１実施形態について説明する。図１は本実施形態の全体構成を示す構成図であり、図１（ａ）はそのＡ−Ａ線断面図、図１（ｂ）はその正面図、図１（ｃ）はコ字状金具を説明する説明図である。また、図２はコ字状金具を説明する説明図であり、図２（ａ）は図１（ｃ）のコ字状金具６を異なる角度から見た図、図２（ｂ）は他のコ字状金具を説明する説明図である。
本発明の第１実施形態の免震架台用キャスター固定具は、第１固定金具の一例としてきり孔が設けられたＬ字状金具３を、第２固定金具の一例としてナット６ｂが溶接されたコ字状金具６およびボルト部材の一例の六角ボルト７を備えている。
【００１２】
免震架台１は図示しない免震装置により免震されており、この免震架台１上に被保護装置２が載置される。
免震架台１には断面略Ｌ字状のＬ字状金具３が取り付けられる。免震架台１には予め多数のねじ孔が螺設されており、被保護装置２に取り付けられているキャスター４の位置に応じて最適な位置のねじ孔が選択される。また、免震装置を注文生産品とし、被保護装置２のキャスター位置に応じてねじ孔を予め最適位置に設けるようにしてもよい。このＬ字状金具３は、六角穴付きボルト５を用いて免震架台１に取り付け固定される。
【００１３】
キャスター４のキャスター輪４ａは、図１（ａ），（ｂ）にも示すように、Ｌ字状金具３に当接するように配置される。そして、断面略コ字状のコ字状金具６をキャスター輪４ａに当接させる。このコ字状金具６は、図１（ｃ）や図２（ａ）に示すように上側および下側に突起片６ａを有している。
上側や下側からコ字状金具６を見ると、コ字状金具６は略凸字状となっている。このコ字状金具６を配置する場合、キャスター輪４ａを挟んでＬ字状金具３と対向するとともに上下２つの突起片６ａがキャスター輪４ａに当接するよう配置される。
【００１４】
そして、Ｌ字状金具３に穿設されたきり孔に六角ボルト７を通し、コ字状金具６に溶接固定されたナット６ｂに六角ボルト７をねじ留めし、Ｌ字状金具３とコ字状金具６とでキャスター輪４ａを挟み込んだ状態で固定する。キャスター輪４ａは図１（ａ）の矢印Ａで示す方向へは移動できなくなり、被保護装置２が免震架台１上で移動する事態は回避される。
さらに、２つの六角ボルト７がキャスター輪４ａに当接しながら挟み込むようにすればキャスター輪４ａが図１（ａ）の矢印Ｂの方向へも回動できなくなり、キャスター輪４ａをより堅固に固定できる。
【００１５】
なお、コ字状金具６は、図２（ｂ）で示すように、上側のみ突起片６ａがあるようにしても良く、また、図示しないものの、下側のみ突起片６ａがあるようにしても良い。何れにしてもキャスター輪４ａが上下２個所で確実に当接できる形態とすれば良い。
また、コ字状金具６にナット６ｂを溶接して取り付ける形態としているが、ねじ切りタップを用いてコ字状金具の本体に直接ねじ孔を螺設しても良い。
【００１６】
また、第１実施形態では、コ字状金具６にナット６ｂを有し、Ｌ字状金具３にきり孔を有するものとして説明した。しかしながら、図示しないが、コ字状金具にきり孔を、Ｌ字状金具にナットを有する形態にしても良く、このような形態でも本発明の実施は可能である。
また、第１実施形態では六角穴付きボルト５や六角ボルト７を用いているが、六角ボルト７の代わりに六角穴付きボルト５を用いてもよく、六角穴付きボルト５の代わりに六角ボルト７を用いても良い。
これらのように種々の形態が適宜選択される。
【００１７】
続いて、本発明の免震架台用キャスター固定具の第２実施形態について説明する。図３は本実施形態の全体構成を示す構成図であり、図３（ａ）はそのＢ−Ｂ線断面図、図３（ｂ）はその正面図、図３（ｃ）はコ字状金具を説明する説明図である。
本発明の第２実施形態の免震架台用キャスター固定具は、第１固定金具の一例としてきり孔が設けられたＬ字状金具３を、第２固定金具の一例としてナット８ｂが固定されるコ字状金具８およびボルト部材の一例の六角ボルト７を備えている。
【００１８】
第２実施形態の構成は第１実施形態の構成とほぼ同一であり、わずかに第２固定金具のコ字状金具の形状が第１実施形態のコ字状金具の形状と異なるが、他の構成は同じである。以下、第２実施形態の説明では、第１実施形態と同じ構成は説明を省略し、相違点のみを説明する。
【００１９】
キャスター輪４ａに当接するコ字状金具８は、図３（ｃ）に示すように上側および下側に切込み８ａを有している。上側や下側からコ字状金具８を見ると、コ字状金具８は略凹字状となっている。コ字状金具８を配置する場合、図３（ａ），（ｂ）で示すように、キャスター輪４ａを挟んでＬ字状金具３と対向するとともに上下２つの切れ込み８ａがキャスター輪４ａに当接するよう配置される。
【００２０】
そして、Ｌ字状金具３に穿設されたきり孔に六角ボルト７を通し、コ字状金具８に溶接固定されたナット８ｂに六角ボルト７をねじ留めし、Ｌ字状金具３とコ字状金具８とでキャスター輪４ａを挟み込んだ状態で固定する。キャスター輪４ａは、第１実施形態と同様に確実に固定される。
さらに、２つの六角ボルト７がキャスター輪４ａに当接しながら挟み込むようにすればキャスター輪４ａは回動できなくなり、キャスターを堅固に固定できる。
【００２１】
なお、第２実施形態のコ字状金具８は、コ字状金具８の本体にナット８ｂを溶接して取り付けているが、コ字状金具の本体にねじ切りタップを用いて本体にねじ孔を直接設けても良い。
また、第２実施形態では、コ字状金具８にナット８ｂを有し、Ｌ字状金具３にきり孔を有するものとして説明した。しかしながら、図示しないが、コ字状金具にきり孔を、Ｌ字状金具にナットを有する形態としても本発明の実施は可能である。
【００２２】
また、第２実施形態でも、六角穴付きボルト５や六角ボルト７を用いているが、六角ボルト７の代わりに六角穴付きボルト５を用いてもよく、六角穴付きボルト５の代わりに六角ボルト７を用いても良い。
これらのように種々の形態が適宜選択される。
【００２３】
続いて、本発明の免震架台用キャスター固定具の第３実施形態について説明する。図４は本実施形態の全体構成を示す構成図であり、図４（ａ）はそのＣ−Ｃ線断面図、図４（ｂ）はその正面図、図４（ｃ）はＵ字状金具を説明する説明図である。
本発明の第３実施形態の免震架台用キャスター固定具は、第１固定金具の一例としてきり孔が設けられたＬ字状金具３，第２固定金具の一例としてねじ部を有するＵ字ボルト９およびこのＵ字ボルトを固定するためのナット１０を備えている。
【００２４】
第３実施形態の構成は第１，第２実施形態の構成とほぼ同一であり、第３実施形態における第２固定金具がＵ字ボルトとナットである点と第１，第２実施形態における第２固定金具がコ字状金具・六角ボルトである点とが異なっているが、他の構成は同じである。以下、第３実施形態の説明では、第１実施形態と同じ構成は説明を省略し、相違点のみを説明する。
【００２５】
キャスター輪４ａに当接するＵ字ボルト９は、図４（ｃ）に示すようにＵ字状であって両端にねじ部が設けられたボルトである。Ｕ字ボルト９を配置する場合、図４（ａ），（ｂ）で示すように、キャスター輪４ａを挟むとともにＵ字ボルト９の谷底がキャスター輪４ａに当接するよう配置される。
【００２６】
そして、Ｌ字状金具３に穿設されたきり孔にＵ字ボルト９の先端のねじ部を通し、このＵ字ボルト９の先端のねじ部にナット１０を用いて締結してＵ字ボルト９をねじ留めし、Ｌ字状金具３とＵ字ボルト９とでキャスター輪４ａを挟み込んだ状態で固定する。このようにしても、キャスター輪４ａは確実に固定される。Ｕ字ボルト９は市販されており、コ字状金具のように加工・製造する必要がなく、免震架台用キャスター固定具を廉価にすることができる。
なお、第３実施形態でも六角穴付きボルト５の代わりに六角ボルトを用いても良い。
【００２７】
このように第１〜第３実施形態によれば、六角ボルトやナットを締めることで免震架台上に被保護装置を取り付け固定することができるため、取り付け作業は容易である。
同様に、六角ボルトやナットを緩めるだけで免震架台から被保護装置を取り外すことができ、取り外し作業も容易である。
【００２８】
また、多くのメーカーから市販されているものの概略形状はほぼ一定するキャスターを用いて固定するため、被保護装置のキャスターに合わせて寸法を変更するだけで免震架台用キャスター固定具を得ることができ、設計の共通化・簡便化を図ることができる。
【００２９】
【発明の効果】
本発明によれば、装置底面にキャスターが取り付けられたような被保護装置であっても、免震架台上に固定できる免震架台用キャスター固定具を提供することができる。
【図面の簡単な説明】
【図１】本発明の免震架台用キャスター固定具の第１実施形態の全体構成を示す構成図である。
【図２】本発明のコ字状金具を説明する説明図である。
【図３】本発明の免震架台用キャスター固定具の第２実施形態の全体構成を示す構成図である。
【図４】本発明の免震架台用キャスター固定具の第３実施形態の全体構成を示す構成図である。
【符号の説明】
１                              免震架台
２                              被保護装置
３                              Ｌ字状金具
４                              キャスター
４ａ                        キャスター輪
５                              六角穴付きボルト
６                              コ字状金具
６ａ                        突起片
６ｂ                        ナット
７                              六角ボルト
８                              コ字状金具
８ａ                        切込み
８ｂ                        ナット
９                              Ｕ字ボルト
１０                            ナット
【図１】
0004315534.tif 000002
【図２】
0004315534.tif 000003
【図３】
0004315534.tif 000004
【図４】
0004315534.tif 000005